(57)【特許請求の範囲】
【請求項１】
便鉢の下流側に連通し、下流側に向けて斜め上方に上昇する上昇流路を備えた水洗式便器の排水路であって、
前記上昇流路は、洗浄水の排水方向に対して直角方向の断面形状において下側に位置する下側面が下流側に位置する頂部に向けて横幅が徐々に広がって形成されていることを特徴とする水洗式便器の排水路。
【請求項２】
前記頂部は、略水平であり、洗浄水の排水方向に対して直角方向に伸びていることを特徴とする請求項１記載の水洗式便器の排水路。
【請求項３】
前記便鉢の下端部から前記上昇流路の上流端部へ向けて下方に傾斜した管状の導入路を備えていることを特徴とする請求項１又は２記載の水洗式便器の排水路。
【請求項４】
前記上昇流路は、
洗浄水の排水方向に対して直角方向の断面形状において、
上流端部が、上下方向の中央を通る仮想直線で分割された上側の流路面積を下側の流路面積よりも大きく形成され、
上昇流路から下降流路に変わる部分の鉛直断面である下流端部が、上下方向の中央を通る仮想直線で分割された下側の流路面積を上側の流路面積よりも大きく形成されており、
下流方向に向けて、上下方向の中央を通る仮想直線で分割された上側の流路面積を徐々に小さくし、それにつれて下側の流路面積を徐々に大きくしたことを特徴とする請求項１乃至３のいずれか１項記載の水洗式便器の排水路。
【請求項５】
前記上昇流路は、前記下側面が洗浄水の排水方向に延びた略平坦面を有していることを特徴とする請求項１乃至４のいずれか１項記載の水洗式便器の排水路。
【請求項６】
前記上昇流路は、洗浄水の排水方向に対して直角方向の断面形状において、上側面を中央部から左右下方に向けて形成した山型とし、左右の前記上側面の間隔を下方に向けて徐々に広くしていることを特徴とする請求項１乃至５のいずれか１項記載の水洗式便器の排水路。
【請求項７】
前記上昇流路は、洗浄水の排水方向に対して直角方向の断面形状において、前記上流端部の下流側近傍における上下方向の最大長さを上流側から下流側に向けて拡大していることを特徴とする請求項１乃至６のいずれか１項記載の水洗式便器の排水路。
【請求項８】
前記上昇流路の下流側に連通し、下流側に向けて下降しており、
前記上昇流路の前記頂部から延びて内周面に沿って内側に突出して形成された棚部を有した下降流路を備えていることを特徴とする請求項１乃至７のいずれか１項記載の水洗式便器の排水路。
【請求項９】
前記棚部は前記上昇流路の前記頂部から前記下降流路の内周面に沿って後方に向けて下降していることを特徴とする請求項８記載の水洗式便器の排水路。
【発明の詳細な説明】
【技術分野】
【０００１】
本発明は水洗式便器の排水路に関する。
【背景技術】
【０００２】
特許文献１には従来の水洗式便器の排水路が開示されている。この水洗式便器の排水路は、便鉢の下流側に連通し、下流側に向けて上昇する上昇流路を備えている。この上昇流路は、下流側に位置する頂部が洗浄水の排水方向に対して直角方向に延びた水平面を有している。上昇流路は、頂部が形成された部分の横幅が上昇流路と同じかそれよりも広く形成されている。
【０００３】
このため、この水洗式便器の排水路では、水位上昇によって頂部を乗り越える洗浄水の水量を多くすることができる。このため、便器洗浄の初期に大量の洗浄水が一気に頂部を乗り越え、上昇流路の下流に連通した下降流路内に水膜を形成することができる。これによって、この水洗式便器は排水路内にサイホン作用を発生して便器洗浄を行うことができる。
【先行技術文献】
【特許文献】
【０００４】
【特許文献１】特開平７−３２４３６７号公報
【発明の概要】
【発明が解決しようとする課題】
【０００５】
しかし、特許文献１の水洗式便器の排水路では、頂部に至るまでの上昇流路の形状が考慮されていない。上昇流路の形状によっては、排水路内にサイホン作用が発生しても上昇流路内を洗浄水が良好に流れず、汚物等の搬送が良好に行われないおそれがある。
【０００６】
本発明は、上記従来の実情に鑑みてなされたものであって、便器洗浄を良好に行うことができる水洗式便器の排水路を提供することを解決すべき課題としている。
【課題を解決するための手段】
【０００７】
本発明の水洗式便器の排水路は、便鉢の下流側に連通し、下流側に向けて斜め上方に上昇する上昇流路を備えた水洗式便器の排水路であって、
前記上昇流路は、洗浄水の排水方向に対して直角方向の断面形状において下側に位置する下側面が下流側に位置する頂部に向けて横幅が徐々に広がって形成されていることを特徴とする。
【０００８】
発明者らは、水洗式便器の排水路において、上昇流路の上流端部で洗浄水の排水方向が下方向から上方向に変化することに起因して、上昇流路の下側面の近傍では、上流側で洗浄水の流速が遅く洗浄水が淀み易く、下流側の方が上流側より洗浄水の流速が速いこと、及び上昇流路の上側面の近傍では、上流端部の近傍で洗浄水の流速が速いが、その下流側の洗浄水の流速が遅く洗浄水が淀み易いことを知得した。
【０００９】
このため、この水洗式便器の排水路では、上昇流路の下側面を下流端部に位置する頂部に向けて徐々に広げることによって、洗浄水の流速が速い領域の流路面積を拡大し、大流量の洗浄水が上昇流路を流れるようにした。これによって、汚物等は、速い流速の洗浄水に乗って上昇流路の流路面積が拡大した領域に搬送されるため、上昇流路を良好に搬送することができる。
【００１０】
したがって、本発明の水洗式便器の排水路は便器洗浄を良好に行うことができる。
【００１１】
前記頂部は、略水平であり、洗浄水の排水方向に対して直角方向に延び得る。この場合、上昇流路の下流端部に流れる大流量の洗浄水を一気に頂部の下流へ流下することができる。このため、上昇流路の下流に形成した絞り部等によって水膜形成領域に水膜を確実に形成することができ、排水路内にサイホン作用を確実に発生することができる。サイホン作用の発生によって、洗浄水は排水路内をさらに勢いよく流れるため、汚物等は、その速い流速の洗浄水に乗って上昇流路の流路面積が拡大した領域に搬送され、上昇流路を良好に搬送することができる。
【００１２】
前記便鉢の下端部から前記上昇流路の上流端部へ向けて下方に傾斜した管状の導入路を備え得る。この場合、導入路が便鉢面に沿って旋回して流入した洗浄水を上昇流路に沿った流れに整流化する。このため、上昇流路内を洗浄水がスムーズに流れることができ、汚物等の搬送を良好に行うことができる。
【００１３】
前記上昇流路は、洗浄水の排水方向に対して直角方向の断面形状において、上流端部が、上下方向の中央を通る仮想直線で分割された上側の流路面積を下側の流路面積よりも大きく形成され、上昇流路から下降流路に変わる部分の鉛直断面である下流端部が、上下方向の中央を通る仮想直線で分割された下側の流路面積を上側の流路面積よりも大きく形成されており、下流方向に向けて、上下方向の中央を通る仮想直線で分割された上側の流路面積を徐々に小さくし、それにつれて下側の流路面積を徐々に大きくし得る。この場合、上昇流路の上流端部は、洗浄水の流速が速い領域である上側の流路面積を大きくし、下流端部は、洗浄水の流速が速い領域である下側の流路面積を大きくすることになる。これによって、上昇流路の洗浄水の淀みを少なくして上昇流路内の全領域で大流量の洗浄水を良好に流すことができる。このため、上昇流路内における汚物等の搬送を良好に行うことができる。
【００１４】
前記上昇流路は、前記下側面が洗浄水の排水方向に延びた略平坦面を有し得る。この場合、下側面の近傍の流路面積を拡大することができるため、流速の速い領域において大流量の洗浄水を流すことができる。このため、上昇流路内における汚物等の搬送を良好に行うことができる。
【００１５】
前記上昇流路は、洗浄水の排水方向に対して直角方向の断面形状において、上側面を中央部から左右下方に向けて形成した山型とし、左右の前記上側面の間隔を下方に向けて徐々に広くし得る。この場合、上昇流路の上側面の近傍における洗浄水の流速が遅くなる領域を山型にすることによって、その領域の流路面積を小さくして洗浄水の流速を速くし、洗浄水の淀みを防止することができる。このため、上昇流路内の洗浄水を良好に流すことができ、汚物等の搬送を良好に行うことができる。
【００１６】
前記上昇流路は、洗浄水の排水方向に対して直角方向の断面形状において、前記上流端部の下流側近傍における上下方向の最大長さを上流側から下流側に向けて拡大し得る。この場合、上昇流路は、この断面形状における上下方向の長さを上昇流路の下流側で大きくすることができる。このため、上昇流路の下流端の頂部を汚物等が通過する際に上昇流路の上側面に汚物等が引っ掛かることを防止することができる。よって、排水路内で汚物等が滞留せず、汚物等の搬送を良好に行うことができる。
【００１７】
前記上昇流路の下流側に連通し、下流側に向けて下降しており、
前記上昇流路の前記頂部から延びて内周面に沿って内側に突出して形成された棚部を有した下降流路を備え得る。
【００１８】
この場合、下降流路の内周面に沿って内側に突出した棚部が形成されているため、頂部を乗り越えた洗浄水が棚部に沿って流れ、下降流路の後方に洗浄水を送ることができる。棚部から流れ落ちた洗浄水は、棚部より下方に形成した絞り部に衝突する等して飛散し、水膜形成領域に水膜を形成する。このため、排水路内にサイホン作用を早期に発生させることができる。つまり、少ない洗浄水でもサイホン作用を早期に発生させることができ、汚物等の搬送を良好に行うことができる。
【００１９】
前記棚部は前記上昇流路の前記頂部から前記下降流路の内周面に沿って後方に向けて下降し得る。この場合、頂部から棚部に流れる洗浄水が少なくても下降流路の内周面に沿って下降流路の後部まで洗浄水を送ることができる。このため、少ない洗浄水でも下降流路の周囲から洗浄水が流れ落ち、棚部より下流に形成した絞り部等によって水膜形成領域に水膜を確実に形成することができる。つまり、少ない洗浄水で早期にサイホン作用を発生させることができ、汚物等の搬送を良好に行うことができる。
【図面の簡単な説明】
【００２０】
【図１】実施例の水洗式便器の断面図である。
【図２】実施例の水洗式便器の平面図である。
【図３】図１の矢視Ａ−Ａ断面図である。
【図４】図１の矢視Ｂ−Ｂ断面図である。
【図５】図１の矢視Ｃ−Ｃ断面図である。
【図６】（Ａ）上昇流路の断面図である。（Ｂ）図６（Ａ）の矢視Ｄ−Ｄ〜Ｈ−Ｈ断面図である。（Ｃ）図６（Ａ）の矢視Ｉ−Ｉ断面図である。
【図７】図１の矢視Ｊ−Ｊ断面図である。
【図８】図１の矢視Ｋ−Ｋ断面図である。
【図９】図１の矢視Ｌ−Ｌ断面図である。
【図１０】図１の矢視Ｐ−Ｐ断面図である。
【図１１】図１の矢視Ｑ−Ｑ断面図である。
【図１２】図１の矢視Ｒ−Ｒ断面図である。
【図１３】図１の矢視Ｒ−Ｒの反対側から見た断面図である。
【図１４】他の実施例の下降流路を示す部分断面図である。
【図１５】他の実施例の下降流路を示す部分断面図である。
【発明を実施するための形態】
【００２１】
本発明の水洗式便器の排水路を備えた水洗式便器を具体化した実施例を図面を参照しつつ説明する。
【００２２】
＜実施例＞
実施例の水洗式便器は、図１及び図２に示すように、便器本体１、便器本体１の後部上面に載置したタンク本体２、タンク本体２に貯留した洗浄水を便器本体１に吐水する分配管３、及び便器本体１の排出口４０Ａと便器本体１が設置されるトイレルームの床面に開口する図示しない排水管の流入口とを連通する接続配管４を有している。接続配管４は、排出口４０Ａの直下に排出口４０Ａから流下した洗浄水が衝突し、飛散する絞り部５を形成している。この絞り部５に洗浄水が衝突して飛散することによって水膜形成領域Ｓに水膜が形成される。これによって、排水路内にサイホン作用を発生させることができる。
【００２３】
便器本体１は、便鉢１０、導入路２０、上昇流路３０、及び下降流路４０を備えている。導入路２０、上昇流路３０、下降流路４０及び接続配管４が水洗式便器の排水路を構成している。
【００２４】
便鉢１０は上部内周縁にリム通水路１１を形成している。分配管３は、タンク本体２の排出口に接続した流入口３Ａと、流入口３Ａの下方で分岐した第１吐出管３Ｂ及び第２吐出管３Ｃとを有している。便器洗浄を実行すると、タンク本体２に貯留した洗浄水を第１吐出管３Ｂからリム通水路１１に沿って吐水するとともに、第２吐出管３Ｃから便鉢１０の後部に向けて吐水する。第１吐出管３Ｂからリム通水路１１に沿って吐水した洗浄水は、リム通水路１１上を流れつつ、便鉢１０の内面に流れ落ちる。また、第１吐出管３Ｂから吐水する洗浄水の水量は第２吐出管３Ｃから吐水する洗浄水の水量よりも多いため、便鉢１０の上方から見ると、便鉢１０内には反時計回りに流れる旋回流ＦＬが形成される。
【００２５】
導入路２０は、図１及び図３〜図５に示すように、便鉢１０の下端部に連続しており、管状に形成されている。導入路２０は、便鉢１０の下端部から便器本体１の後方に向けて下方に傾斜している。つまり、導入路２０は上昇流路３０の上流端部３１へ向けて下方に傾斜している。導入路２０の下流端部と上昇流路３０の上流端部３１とは連続して形成されている。導入路２０は、洗浄水の排水方向に対して直角方向の断面形状において、左下コーナー部２０Ｌ、３１Ｌの方が右下コーナー部２０Ｒ、３１Ｒに比べ曲率の小さい緩やかな曲がり具合のＲ面に形成されている。これに伴い、右側面３１Ｃが直線的に立ち上がっている。
【００２６】
洗浄水は、便鉢１０内で反時計回りに流れる旋回流ＦＬを形成して導入路２０内に流入する。この際、左下コーナー部２０Ｌ、３１Ｌが緩やかな曲がり具合のＲ面であるため洗浄水は導入路２０内にスムーズに流入する。導入路２０内に流入した洗浄水は、曲率の大きい曲がり具合がきついＲ面の右下コーナー部２０Ｒ、３１Ｒから直線的に立ち上がっている右側面３１Ｃに衝突して排水路の下流方向への流れに変化する。このように、導入路２０によって、便鉢１０内で旋回していた洗浄水の流れを排水路の下流方向の流れに変化して、かつ下流方向の流れを加速し、整流化することができる。
【００２７】
導入路２０の下流端部であって、上昇流路３０の上流端部３１は、図５に示すように、断面形状が横長の略矩形である。上昇流路３０の上流端部３１を境にして、洗浄水の排水方向が下方向から上方向に変化することに起因して、上側面３１Ｔ側に流速の速い洗浄水が流れる。上昇流路３０の上流端部３１の近傍の排水路の断面形状において、上下寸法を大きくすると、下側面３１Ｂ側の洗浄水の流速が遅くなり、下側面３１Ｂ側の近傍の整流化された洗浄水が淀んでしまうおそれがある。そこで、上昇流路３０の上流端部３１の近傍においては、上下方向の寸法を小さくして整流化された洗浄水が淀まないようにするとともに、流量を確保するために横方向の寸法を大きく形成している。このため、上昇流路３０の上流端部３１は断面形状が横長の略矩形に形成している。
【００２８】
また、上昇流路３０の上流端部３１において、上下方向の中央Ｍより上側の流路面積Ａ１を下側の流路面積Ｂ１よりも大きく形成している。これによって、洗浄水の流速が速い領域である上側の流路面積Ａ１を大きくし、上昇流路３０に大量の洗浄水を流すことができるとともに、上昇流路３０の上流端部３１において、下側面３１Ｂの近傍における洗浄水の流速を速くし、整流化された洗浄水の淀みを少なくすることができる。なお、上述したように、曲率の大きい曲がり具合のきついＲ面の右下コーナー部２０Ｒ、３１Ｒから直線的に立ち上がった右側面３１Ｃによって、導入路２０内で洗浄水の流れを排水路の下流方向に変化させ、かつ下流方向の流れを加速することによって最適化を図ることができる。
【００２９】
上昇流路３０は上流端部３１から便器本体１の後方（下流側）に向けて上昇している。上昇流路３０は、図１、図６（Ａ）〜（Ｃ）及び図７に示すように、下側面３３、下側面３３の左右両端から立ち上がる左右側面３４Ｌ、３４Ｒ、及び左右側面３４Ｌ、３４Ｒの上端を連結する上側面３５に囲まれて形成されている。
【００３０】
上昇流路３０は、洗浄水の排水方向に対して直角方向の断面形状において、上下方向の最大長さを上流端部３１から下流側に向けて（上流端部３１から図６（Ａ）の矢視Ｄ−Ｄ断面に至るまでの間に）拡大している。これにより、上昇流路３０は、この断面形状における上下方向の長さを上昇流路３０の下流側で大きくすることができる。このため、上昇流路３０の下流端の頂部３２を汚物等が通過する際に上昇流路３１の上側面３５に汚物等が引っ掛かることを防止することができる。よって、排水路内で汚物等が滞留せず、汚物等の搬送を良好に行うことができる。
【００３１】
上昇流路３０は下側面３３を下流側に位置する頂部３２に向けて徐々に広げて形成している。また、下側面３３は、上昇流路３０において、洗浄水の排水方向に延びた平坦面に形成されている。また、下側面３３の頂部３２は洗浄水の排水方向に対して直角方向に延び、略水平である。
【００３２】
上昇流路３０の下側面３３の近傍では上流側より下流側において洗浄水の流速が速い。このため、上昇流路３０の下側面３０を下流端に位置する頂部３２に向けて徐々に広げることによって、洗浄水の流速が速い領域の流路面積を拡大し、大流量の洗浄水が上昇流路３０を流れるようにしている。また、下側面３３を頂部３２に連続して形成しているため、上昇流路３０内の洗浄水がスムーズに流れることができる。このため上昇流路３０内における汚物等の搬送を良好に行うことができる。
【００３３】
また、頂部３２が洗浄水の排水方向に対して直角方向に延びた略水平面を有しているため、上昇流路３０の下流端部に流れる大流量の洗浄水を一気に頂部３２の下流側の下降流路４０へ流下することができる。下降流路４０を流下した洗浄水は、接続配管４の絞り部５に衝突して飛散することによって、水膜形成領域Ｓに水膜を形成し、排水路内にサイホン作用を確実に発生させることができる。サイホン作用の発生によって、洗浄水は排水路内をさらに勢いよく流れるため、汚物等は、その速い流速の洗浄水に乗って上昇流路３０の流路面積が拡大した領域に搬送され、上昇流路３０を良好に搬送することができる。
【００３４】
したがって、実施例の水洗式便器の排水路は便器洗浄を良好に行うことができる。
【００３５】
上昇流路３０は、洗浄水の排水方向に対して直角方向の断面形状において、上流端部３１の上側面３１Ｔは上方に膨らんだ曲面に形成されているが、上流端部３１より下流側において上側面３５は中央部から左右下方に向けて徐々に横幅を広くした山型に形成されている。これによって、上昇流路３０の上側面３５の近傍における洗浄水の流速が遅くなる領域において、流路面積を小さくすることによって、洗浄水の流速を速くして整流化された洗浄水の淀みを防止することができる。このため、上昇流路３０内の洗浄水を良好に流すことができ、汚物等の搬送を良好に行うことができる。
【００３６】
また、山型に形成された上側面３５の上流端部３１側では、上側面３５を中央部から左右下方に延びて内側に膨らんだ傾斜面に傾斜している。上流端部３１より下流側の近傍では、洗浄水の流れ方向が下方向から上方向に変化した直後であるため、上側面３５の近傍において洗浄水が淀み易い。このため、この淀み易い領域の上側面３５を内側に膨らんだ傾斜面にすることによって、洗浄水の流速をさらに速くし、整流化された洗浄水の淀みを防止することができる。これによって、上昇流路３０内の洗浄水が良好に流れ、上昇流路３０内における汚物等の搬送を良好に行うことができる。
【００３７】
上昇流路３０は、上述したように、上流端部３１では、洗浄水の排水方向に対して直角方向の断面形状における上下方向の中央Ｍより上側の流路面積Ａ１を下側の流路面積Ｂ１よりも大きく形成している。つまり、上昇流路３０の上流端部３１では、上側面３１Ｔ側の近傍の洗浄水の流速が速いため、上側の流路面積Ａ１を大きくして大流量の洗浄水が流れるようにしている。上昇流路３０は、上流端部３１よりも下流側に進むにつれて上側面３５の近傍の洗浄水の流速が遅くなる。このため、洗浄水の排水方向に対して直角方向の断面形状における上下方向の中央Ｍより上側の流路面積を徐々に小さくし、それにつれて下側の流路面積を徐々に大きくしている。上流端部３１から中間部３０Ｍまでは、上側の流路面積が下側の流路面積よりも大きく形成されている。中間部３０Ｍから下流端部までは、図６（Ｂ)及び図７に示すように、洗浄水の排水方向に対して直角方向の断面形状において、上下方向の中央Ｍより下側の流路面積Ｂ２を上側の流路面積Ａ２よりも大きく形成している。
【００３８】
このように、上昇流路３０の上流端部３１から中間部３０Ｍまでは、洗浄水の流速が速い領域である上側の流路面積を大きくし、上昇流路３０の中間部３０Ｍから下流端部までは、洗浄水の流速が速い領域である下側の流路面積を大きくしているため、上昇流路３０の整流化された洗浄水の淀みを少なくして上昇流路３０内の全領域で大流量の洗浄水を良好に流すことができる。このため、上昇流路内における汚物等の搬送を良好に行うことができる。
【００３９】
下降流路４０は、図１、及び図８〜図１３に示すように、上昇流路３０の下流側に連続して形成されている。下降流路４０は垂直下方に延びている。つまり、下降流路４０は下流側に向けて下降している。下降流路４０は下端部に排出口４０Ａを形成している。排出口４０Ａは、接続配管４の上流側の接続口に挿入され、接続配管４を介してトイレルームの床面に開口する排水管の流入口に連通することができる。
【００４０】
下降流路４０は、上昇流路３０の頂部３２から延びて、下降流路４０の内周面に沿って内側に突出して形成され、内側上方を向いた傾斜面からなる棚部４１を有している。棚部４１が下降流路４０の内周面に沿って内側に突出しているため、頂部３２を乗り越えた洗浄水が棚部４１に沿って流れ、下降流路４０の後方に洗浄水を送ることができる。棚部４１から下降流路４０内に流れ落ちた洗浄水は、接続配管４に形成した絞り部５に衝突して飛散する。これによって、水膜形成領域Ｓに水膜が形成され、排水路内にサイホン作用を早期に発生させることができる。つまり、少ない洗浄水でもサイホン作用を早期に発生させることができ、汚物等の搬送を良好に行うことができる。
【００４１】
また、棚部４１が内側上方を向いた傾斜面からなるため、棚部４１によって下降流路４０の流路面積が小さくなるが、その変化を緩やかにすることができる。このため、棚部４１による汚物等の詰まりを防止することができ、汚物等の搬送を良好に行うことができる。
【００４２】
また、棚部４１は上昇流路３０の頂部３２から下降流路４０の内周面に沿って後方に向けて下降している。このため、頂部３２から棚部４１に流れる洗浄水が少なくても下降流路４０の内周面に沿って下降流路４０の後部まで洗浄水を送ることができる。つまり、少ない洗浄水でも下降流路４０の周囲から洗浄水が流れ落ち、水膜形成領域Ｓに水膜を確実に形成することができる。よって、少ない洗浄水で早期にサイホン作用を発生させることができ、汚物等の搬送を良好に行うことができる。
【００４３】
また、棚部４１は下降流路４０の内周面に沿って後方に向けて幅が徐々に細くなっている。棚部４１は、排水路内にサイホン作用が発生し、下降流路４０内を洗浄水と共に汚物等が流れる際には抵抗となる。このため、棚部４１の幅を後方に向けて徐々に細くすることにより、早期にサイホン作用を発生させることができるとともに、洗浄水等の流れの抵抗を減少し、汚物等の搬送を良好に行うことができる。
【００４４】
本発明は上記記述及び図面によって説明した実施例に限定されるものではなく、例えば次のような実施例も本発明の技術的範囲に含まれる。
（１）実施例では、上昇流路を導入路の下流端部に連続して形成したが、上昇流路を下流端部とは別体に形成して、導入路の下流端部に連結してもよい。
（２）実施例では、下降流路を上昇流路の下流側に連続して形成したが、下降流路を上昇流路とは別体に形成して、上昇流路の下流側に連結してもよい。
（３）実施例では、サイホン式の水洗式便器であったが、サイホン式でなくてもよい。この場合、下降流路に棚部を設けなくてもよい。
（４）実施例では、便器本体の後部上面に載置したタンク本体に貯留した洗浄水を便器本体に供給する水洗式便器であったが、タンク本体を有さず、開閉弁を介して給水源から直接的に洗浄水を供給する水洗式便器であってもよい。
（５）実施例では、上昇流路を洗浄水の排水方向に対して直角方向の断面形状において、上下方向の中央より上側の流路面積の大きさと下側の流路面積の大きさを中間部で逆転させたが、上昇流路の全体において上側の流路面積と下側の流路面積の比率を同じにしてもよい。
（６）実施例では、上昇流路の下側面が略平坦面に形成したが、平坦面でなくてもよい。
（７）実施例では、上昇流路の上側面を山型に形成したが、山型でなくてもよい。
（８）実施例では、下降流路に棚部を形成したが、棚部はなくてもよい。
（９）実施例では、棚部が下降流路の内周面に沿って後方に向けて下降していたが、下降していなくてもよい。
（１０）実施例では、棚部が下降流路の内周面に沿って後方に向けて幅が徐々に細くなっていたが、細くしなくてもよい。
（１１）実施例では、棚部が内側上方を向いた傾斜面に形成されていたが、図１４に示すように、棚部は水平面１４１であってもよく、また、図１５に示すように、外側上方を向いた傾斜面２４１に形成されてもよい。
（１２）実施例では、便鉢の下端部と上昇流路の上流端部とを連結する導入路を備えていたが、導入路を備えず、便鉢の下端部に直接的に上昇流路の上流端部を連結してもよい。
（１３）実施例では、便鉢内に反時計回りに流れる旋回流を形成したが、洗浄水を時計回りに旋回させるものであってもよい。この場合、導入路の形状は実施例における形状を左右反転したものになる。
（１４）実施例では、接続配管に絞り部を形成したが、下降流路に絞り部を形成してもよい。
（１５）実施例では、上昇流路の中間部から下流端部までは洗浄水の排水方向に対して直角方向の断面形状において、上下方向の中央より下側の流路面積を上側の流路面積よりも大きく形成しているが、上流端部近傍では上側の流路面積を下側の流路面積より大きくしてもよい。上昇流路の上流端部近傍では、上側面まで洗浄水が満水にならない場合が多く、上側面の形状や流路面積が流れに影響しないからである。
（１６）実施例では、上昇流路を洗浄水の排水方向に対して直角方向の断面形状において、上下方向の最大長さを上流端部から下流側に向けて拡大したが、上昇流路の下流端の頂部を汚物等が通過する際に汚物等が引っ掛からないようにすればよく、上昇流路の適宜位置の断面形状の上下方向の長さが下流端部より拡大していればよい。
【産業上の利用可能性】
【００４５】
本発明は水洗式便器に利用可能である。
【符号の説明】
【００４６】
１０…便鉢
２０…導入路
３０…上昇流路
３０Ｍ…中間部
３１…（上昇流路の）上流端部
３２…頂部
３３…下側面
３５…上側面
４０…下降流路
４１…棚部
【図１】
0005715402.tif 000002
【図２】
0005715402.tif 000003
【図３】
0005715402.tif 000004
【図４】
0005715402.tif 000005
【図５】
0005715402.tif 000006
【図６】
0005715402.tif 000007
【図７】
0005715402.tif 000008
【図８】
0005715402.tif 000009
【図９】
0005715402.tif 000010
【図１０】
0005715402.tif 000011
【図１１】
0005715402.tif 000012
【図１２】
0005715402.tif 000013
【図１３】
0005715402.tif 000014
【図１４】
0005715402.tif 000015
【図１５】
0005715402.tif 000016